(57)【要約】【課題】綴具のコンパクト化を図ると共にリングの先端同士の間に形成される空間を従来よりも大きくすることが可能な綴具に関する技術を提供すること。【解決手段】ファイル本体の表紙に接続される綴具であって、リング２１とリング２２とを有し、リング２１とリング２２との先端同士が接触することで書類等を綴じ込む閉リング姿勢を形成し、前記先端同士が離間することにより書類等の綴じ入れを可能とする開リング姿勢に変化するリング部２と、前記リング部２の基端に接続され、回動することで前記リング部２が前記閉リング姿勢と前記開リング姿勢とに変化することを可能とする基板部３と、を備え、前記基板部３は、該基板部３の短手方向の外側端部より内側に設けられた回動軸部の周りを回動することで前記リング部２が閉リング姿勢と開リング姿勢とに変化することを可能とする。【選択図】図１
2008119961.tif 000002
【特許請求の範囲】
【請求項１】
ファイル本体の表紙に接続される綴具であって、
第一リング部材と第二リング部材とを有し、前記第一リング部材と前記第二リング部材との先端同士が接触することで書類等を綴じ込む閉リング姿勢を形成し、前記先端同士が離間することにより書類等の綴じ入れを可能とする開リング姿勢に変化するリング部と、
前記リング部の基端に接続され、回動することで前記リング部が前記閉リング姿勢と前記開リング姿勢とに変化することを可能とする基板部と、を備え、
前記基板部は、該基板部の短手方向の外側端部より内側に設けられた回動軸部の周りを回動することで前記リング部が閉リング姿勢と開リング姿勢とに変化することを可能とする綴具。
【請求項２】
前記基板部は、前記第一リング部材の基端に接続される第一基板部材と、前記第二リング部材の基端に接続される第二基板部材と、を有し、前記各基板部材が回動することで前記リング部が前記閉リング姿勢と前記開リング姿勢とに変化することを可能とする、請求項１に記載の綴具。
【請求項３】
前記開リング姿勢における前記リング部の先端同士の間に形成される空間の大きさは、前記基板部の短手方向における前記回動軸部の位置に基づいて決定される請求項１又は請求項２に記載の綴具。
【請求項４】
前記回動軸部は、前記基板部の短手方向略中心に設けられている、請求項１から請求項３のいずれかに記載の綴具。
【請求項５】
前記表紙の内側面に接続される底板部と、
前記底板部に設けられ、前記基板部を回動可能に支持する支持部と、
を更に備える請求項１から請求項４のいずれかに記載の綴具。
【請求項６】
前記基板部を覆うカバー部と、
前記カバー部に設けられ、前記基板部を回動可能に支持する支持部と、
を更に備える請求項１から請求項４のいずれかに記載の綴具。
【請求項７】
前記基板部には、長手方向に所定の間隔をおいて孔部が複数設けられ、
前記支持部には、前記孔部と回動可能に係合する係合部が設けられ、
前記回動軸部は、前記孔部と前記係合部とが接触する接触部である、請求項５又は請求項６に記載の綴具。
【請求項８】
前記第一リング部材と前記第二リング部材は、
前記閉リング姿勢において前記表紙に対して略直角であって直線状の直線部と、
前記直線部に接続され前記閉リング姿勢において先端同士が接するように湾曲した湾曲部と、を有する請求項１から請求項７のいずれかに記載の綴具。
【請求項９】
前記開リング姿勢と前記閉リング姿勢とを切り替える切替部を更に備え、
前記切替部は、切替レバーを有し、前記リング部が閉リング姿勢にある状態から該切替レバーが回動されると、前記第一リング部材と前記第二リング部材とが同時に離間して前記底板部の短手方向中央部分の上方に開放部分が形成され、前記切替レバーが該開放部分を通過可能となる、請求項１から請求項８のいずれかに記載の綴具。
【請求項１０】
前記リング部は、前記底板部の長手方向に間隔をおいて複数配置され、
前記切替部は、前記リング部が開リング姿勢にあるとき、各リング部の開放部分を前記
切替レバーが通過可能に設定されている、請求項９に記載の綴具。
【発明の詳細な説明】
【技術分野】
【０００１】
本発明は、書類を閉じ込むための開閉可能なリング部を有する綴具の技術に関する。
【背景技術】
【０００２】
書類や紙片を綴じて保存・整理するファイル類の綴具としては、従来から様々なタイプのものが知られている。
【０００３】
例えば、特許文献１に記載の技術は、書類等を綴じるための開閉可能なリングとこのリングを開閉するための切替レバーとを備える綴具に関するものである。この特許文献１に記載の綴具によれば、切替レバーにより容易にリングの開閉を行うことができる。
【０００４】
ここで、上記のような開閉式のリングを備える綴具では、リングを開いた際にリングの先端同士の間に形成される空間（離間）が広いことが好ましい。リングの先端同士の間に形成される空間が広いほうが、書類等の綴じ込みを容易に行うことができるからである。図１１Ａ、Ｂは、従来の一般的なリング式綴具を示す断面図である。図１１Ａは、従来のリング式綴具のリングを閉じた状態（閉リング姿勢）を示す断面図であり、図１１Ｂは、従来のリング式綴具のリングを開いた状態（開リング姿勢）を示す断面図である。
【０００５】
図１１Ａ、図１１Ｂに示すように、従来のリング式綴具１は、リング部２と、リング部２が接続される基板部３と、基板部３を覆うカバー部５と、を備える。リング部２は、リング部材２１とリング部材２２により構成され、図示しないファイル本体の長手方向（紙面奥方向）に所定の間隔をおいて二つ設けられている。基板部３は、リング部材２１が接続される基板３１と、リング部材２２が接続される基板３２と、を有する。なお、リング部材２１の基端は、基板３１の短手方向のほぼ中央部分に接続され、リング部材２２の基端は、基板３２の短手方向のほぼ中央部分に接続されている。また、基板３１と基板３２の短手方向の外側辺部がカバー部５の側板と回動可能に接続されている。すなわち、基板３１と基板３２の短手方向の外側辺部が、回動する際の回動軸６１、６２となっている。
【０００６】
上記のような従来のリング式綴具１では、リング部材２１、２２を手で把持して所定の方向に力を加えて回動軸６１、６２周りに基板３１、３２が回動（傾斜）することで、リング部２が開閉する。そして、図１１Ｂに示すような開リング姿勢における、リング部材２１、２２の先端同士の間に形成される空間は、基板３１、３２の回動可能な角度によって決定され、この回動可能な角度を大きくすることでリング部材２１、２２の先端同士の間に形成される空間を広くすることができる。
【０００７】
回動可能な角度を大きくするためには、カバー部５の下端、すなわちカバー部５が接続される図示しないファイル本体の表紙の内側面から回動軸６１、６２までの高さを高くする必要がある。しかし、表紙の内側面から回動軸部６１、６２までの高さを高くすると、表紙の内側面からカバー部５までの高さも高くなってしまう。すなわち、リング部の開閉度合いを大きくすることで書類の綴じ込み易さを向上できるものの、綴具自体の大きさが大きくなってしまう。これは、綴具のコンパクト化が望まれる今日において好ましくない。
【特許文献１】国際公開第２００５／１０００４４号パンフレット
【発明の開示】
【発明が解決しようとする課題】
【０００８】
従来より様々な綴具を備えるファイルが知られているが、リング式のファイルにおいて
は、リングの先端同士の間に形成される空間が広いことが好ましい。この空間を広くすることで書類の綴じ込みを容易に行うことができるからである。また、この空間は、底板部から回動軸までの高さを高くすることで広くすることが可能である。しかし、これでは綴具自体の大きさが大きくなってしまい、綴具のコンパクト化が望まれる今日において好ましくない。
【０００９】
本発明は、上記問題に鑑みてなされたものであり、綴具のコンパクト化を図ると共にリングの先端同士の間に形成される空間を従来よりも大きくすることが可能な綴具に関する技術を提供することを課題とする。
【課題を解決するための手段】
【００１０】
本発明では、上記の課題を解決するため、以下の手段を採用した。すなわち、本発明は、ファイル本体の表紙に接続される綴具であって、第一リング部材と第二リング部材とを有し、前記第一リング部材と前記第二リング部材との先端同士が接触することで書類等を綴じ込む閉リング姿勢を形成し、前記先端同士が離間することにより書類等の綴じ入れを可能とする開リング姿勢に変化するリング部と、前記リング部の基端に接続され、回動することで前記リング部が前記閉リング姿勢と前記開リング姿勢とに変化することを可能とする基板部と、を備え、前記基板部は、該基板部の短手方向の外側端部より内側に設けられた回動軸部の周りを回動することで前記リング部が閉リング姿勢と開リング姿勢とに変化することを可能とする綴具である。
【００１１】
リング部は、第一のリング部材と第二のリング部材とにより構成され、先端同士が接触することで閉リング姿勢を形成し、先端同士が離間することで開リング姿勢を形成する。そして、このようなリング部は、例えば、ほぼ半円状の二つのリング部材（第一リング部材、第二リング部材）を一対として形成することができる。この場合、リング部は、閉リング姿勢において略円形となる。なお、リング部の形状は、特に限定されるわけではなく、閉リング姿勢においてＤ字状のようなものであってもよい。また、リング部は、表紙の長手方向に所定の間隔をおいて複数配置することができる。なお、リング部の数やリング部同士の所定の間隔は、綴じ込む書類のサイズやパンチ穴の規格に基づいて適宜設定することができる。また、本発明において表紙とは、背表紙、表表紙、裏表紙を含むものとする。
【００１２】
基板部は、リング部の基端に接続され、回動軸部の周りを回動する。これにより、基板部に接続されるリング部が閉リング姿勢と開リング姿勢とに変化することが可能となる。そして、本発明においては、基板部の回動軸となる回動軸部が基板部の短手方向の外側端部より内側に設けられていることを特徴とする。これにより、開リング姿勢においてリング部の先端同士の間に形成される空間を従来よりも広くすることができる。また、本発明は、基板部の回動する角度のみを大きくすることで、リング部の先端同士の間に形成される空間を広くすることを可能とするものである。すなわち、本発明によれば、ファイル本体の表紙の内側面から開リング姿勢における基板部端部までの高さは従来の綴具の高さを維持したまま、リング部の先端同士の間に形成される空間を広くすることができる。したがって、本発明によれば、コンパクト化された綴具の大きさを維持しつつ、リング部の先端同士の間に形成される空間のみ大きくすることが可能となり、従来に比べより書類が綴じ込み易い綴具を提供することができる。
【００１３】
なお、基板部は、第一リング部材と第二リング部材とのうち少なくともいずれか一方に設ければよい。すなわち、綴具を一方のリング部材側のみ回動可能な構成とする場合には、一方のリング部材の基端にのみ基板部を接続する。このような一方のリング部材のみが回動する綴具においても、本発明に係る綴具によれば従来の同じ構成の綴具と比較するとリング部の先端同士の間に形成される空間を広くすることができる。
【００１４】
また、本発明に係る綴具において、前記基板部は、前記第一リング部材の基端に接続される第一基板部材と、前記第二リング部材の基端に接続される第二基板部材と、を有し、前記各基板部材が回動することで前記リング部が前記閉リング姿勢と前記開リング姿勢とに変化することを可能としてもよい。
【００１５】
上述したように、基板部は、第一リング部材と第二リング部材とのうちいずれか一方に設ければよい。但し、上記のようにそれぞれのリング部材に基板部を設け、各基板部を回動することで、開リング姿勢におけるリング部の先端同士の間に形成される空間をより大きくすることができる。これにより、より使い勝手のよい綴具とすることができる。
【００１６】
また、本発明に係る綴具において、前記開リング姿勢における前記リング部の先端同士の間に形成される空間の大きさは、前記基板部の短手方向における前記回動軸部の位置に基づいて決定することができる。すなわち、回動軸部の位置を変えることで基板部の回動角度を変更することができる。
【００１７】
また、本発明に係る綴具において、前記回動軸部は、前記基板部の短手方向略中心に設けることが好ましい。上述したように回動軸部の位置を変えることで基板部の回動角度を変更することができるが、この回動軸部の位置を基板部の短手方向略中心とすることで基板部の回動角度を最も大きくすることができる。なお、ここでいう最も大きな回動角度とは、回動軸部の高さを変えない場合における角度を意味する。
【００１８】
また、本発明に係る綴具は、前記表紙の内側面に接続される底板部と、前記底板部に設けられ、前記基板部を回動可能に支持する支持部と、を更に備える構成とすることができる。
【００１９】
底板部は、綴具のベースとして機能するものであり、底板部の外側面とファイル本体の表紙の内側面とを接続することで、綴具をファイルとして使用することが可能となる。なお、底板部と表紙との接続方法は、特に限定されないが、取り外し可能な構成とすることが好ましい。取り外し可能な構成とすることで、綴具とファイル本体との分別廃棄や一方の部品が破損した場合の部品交換等が可能となるからである。
【００２０】
支持部は、基板部を回動可能に支持する。支持部は、例えば底板部に対して略直角に立ち上げた片により形成することができる。なお、上述したように基板部の回動角度、換言すると開リング姿勢におけるリング部の先端同士の間に形成される空間の大きさは、基板部の短手方向における回動軸部の位置により調整することができる。これに加えて、開リング姿勢におけるリング部の先端同士の間に形成される空間の大きさは、支持部の高さによっても調整することができる。すなわち、支持部の高さを高くすることで、基板部の回動角度を大きくすることができる。一方、支持部の高さを小さくすることで、基板部の回動角度を小さくすることができる。
【００２１】
また、本発明に係る綴具は、前記基板部を覆うカバー部と、前記カバー部に設けられ、前記基板部を回動可能に支持する支持部と、を更に備える構成とすることができる。
【００２２】
本発明では、基板部を支持する支持部が基板部を覆うカバー部に設けられている。これにより、部品としての底板部を削減することができる。すなわち、部品点数を少なくすることができ、より簡易な綴具とすることができる。
【００２３】
また、本発明に係る綴具において、前記回動軸部は、前記基板部の長手方向に所定の間隔をおいて複数設けられた孔部と、前記支持部に設けられた前記孔部と回動可能に係合す
る係合部との接触部とすることができる。
【００２４】
支持部は、例えば基板部の長手方向に沿って縦長状の片を立ち上げることで形成することができる。係合部は、この立ち上げられた片に溝部を設けることで形成することができる。また、この場合基板部の孔部は、支持部としての片が挿入可能な縦長状とすることが好ましい。そして、基板部の孔部に片を挿入し、孔部の長手方向における一方の縁が溝部に引っ掛かるように挿入した基板部をスライドさせる。これにより、基板部が孔部と溝部との係合部を回動軸として回動することが可能となる。
【００２５】
また、本発明に係る綴具において、前記第一リング部材と前記第二リング部材は、前記閉リング姿勢において前記表紙に対して略直角であって直線状の直線部と、前記直線部に接続され前記閉リング姿勢において先端同士が接するように湾曲した湾曲部とを有するようにしてもよい。これにより、書類の綴じ込みがより容易となる。
【００２６】
また、本発明に係る綴具は、前記開リング姿勢と前記閉リング姿勢とを切り替える切替部を更に備え、前記切替部は、切替レバーを有し、前記リング部が閉リング姿勢にある状態から該切替レバーが回動されると、前記第一リング部材と前記第二リング部材とが同時に離間して前記底板部の短手方向中央部分の上方に開放部分が形成され、前記切替レバーが該開放部分を通過可能とすることができる。
【００２７】
上記のような構成とすることで、レバー操作によりリング部を閉リング姿勢から開リング姿勢へと容易に移行させることができる。なお、切替部は、上記構成に限定されない。従来における切替部の技術を適宜適用することができる。
【００２８】
なお、本発明に係る綴具において、前記リング部は、前記底板部の長手方向に間隔をおいて複数配置され、前記切替部は、前記リング部が開リング姿勢にあるとき、各リング部の開放部分を前記切替レバーが通過可能に設定してもよい。これにより、リング部が底板部の長手方向に複数設けられている場合であっても、レバー操作によりリング部を閉リング姿勢から開リング姿勢へと容易に移行させることができる。
【発明の効果】
【００２９】
本発明によれば、綴具のコンパクト化を図ると共にリングの先端同士の間に形成される空間を従来よりも大きくすることが可能な綴具に関する技術を提供することが可能となる。
【発明を実施するための最良の形態】
【００３０】
次に、本発明に係る綴具の実施形態について図面に基づいて説明する。
【００３１】
（第一実施形態）
＜構成＞
図１は、第一の実施形態に係る綴具の斜視図である。図２Ａは、第一の実施形態に係る綴具の閉リング姿勢を示す断面図である。図２Ｂは、第一の実施形態に係る綴具の開リング姿勢を示す断面図である。
【００３２】
第一の実施形態に係る綴具１ａは、リング部２とリング部２の基端が接続される基板部３と、基板部３を支持する支持部７５と、支持部７５が設けられ、ファイル本体の表紙（図示せず）と接続される底板部７と、基板部３を覆うカバー部５と、を備える。なお、本実施形態に係る綴具１ａは、書類等を綴じ込む閉リング姿勢（図２Ａ参照）と、書類等を綴じ込むためにリング部２の一部を開放する開リング姿勢（図２Ｂ参照）に変化することができる。
【００３３】
第一の実施形態に係る綴具１ａは、リング部２が開閉する際の回動軸が基板３１、３２それぞれの短手方向のほぼ中心に設けられている。これにより、基板３１、３２が回動する範囲、換言すると底板部７からの基板部端部までの高さを高くすることなく、回動する角度のみ大きくすることができる。その結果、リング部材２１の先端とリング部材２２の先端の間に形成される空間を大きくすることができ、より使い勝手のよい綴具を提供することができる。なお、従来技術における綴具では、回動軸が基板３１、３２の外側端部に設けられていた（図１１Ａ、図１１Ｂ参照）。このような従来の綴具と比較すると、底板部７から開リング姿勢における基板３１、３２の内側端部までの高さを変えることなく、第一の実施形態に係る綴具１ａでは、基板３１、３２の回動角度が大きくなっており、その結果リング部２の空間が大きくなっている。
【００３４】
以下、各構成について更に詳細に説明する。なお、図１、図２Ａ、図２Ｂに加えて、図３Ａ〜図３Ｄも用いて説明することとする。図３Ａ〜図３Ｄは、綴具の各構成部品を示す斜視図である。
【００３５】
リング部２は、ほぼ半円状の第一のリング部材２１と第二のリング部材２２とにより形成される。本実施形態に係るリング部２は、ほぼ左右対称に形成されており、閉リング姿勢においてリング部材２１の先端とリング部材２２の先端が底板部７の短手方向のほぼ中央に位置している。リング部材２１の基端は、基板３１に接続され、リング部材２２の基端は、基板３２に接続されている。そして、基板３１、３２が回動すると、これに伴いリング部２も閉リング姿勢と開リング姿勢とに変化する。また、本実施形態では、リング部２が基板部３の長手方向に所定の間隔を開けて二箇所設けられている。なお、リング部２の数やリング部２同士の所定の間隔は、綴じ込む書類のサイズやパンチ穴の規格に基づいて適宜決定することができる。
【００３６】
基板部３は、リング部材２１の基端が接続される基板３１と、リング部材２２の基端が接続される基板３２とにより形成される（図３Ｂ参照）。基板３１、３２は、共に帯板状であり、帯板状の基板３１の長手方向両端部寄りにリング部材２１の基端が接続され、帯板状の基板３２の長手方向両端部寄りにリング部材２２の基端が接続されている。また、基板３１、３２には、回動する際の回動軸部の一部を構成する孔部３１１、３２１が長手方向に沿って二箇所設けられている。この孔部３１１、３２１は、後述する支持部７５が挿入可能な細長の矩形状により形成されている。
【００３７】
更に、基板３１には、短手方向内側端部に突出片３１２が二箇所設けられている。この突出片３１２は、対向する基板３２の内側端部に重なるように形成されている。また、基板３２には、短手方向内側端部に突出片３２２が突出片３１２と隣接するように設けられている。そして、突出片３２２は、対向する基板３１の内側端部に重なるように形成されている。このような突出片３１２、３２２を設けることで、どちらか一方の基板に伝達された力が他方の基板に伝達される。その結果、リング部材２１、２２を同時に閉リング姿勢、開リング姿勢へと変化させることが可能となる。
【００３８】
底板部７には、回動軸部を支持する支持部７５が上述した孔部３１１、３２１に対応する位置に四箇所設けられている（図３Ｃ参照）。支持部７５は、底板７１からほぼ垂直であって、短手方向端部に沿って形成される側板７２とほぼ平行に立ち上げられた垂直片７５１と、この垂直片７５１に形成された溝部７５２と、を有する。溝部７５２は、垂直片７５１が側面視においてコ字状になるように形成されている。また、溝部７５２は、四つの支持部７５とも全て同じ方向かつ同じ大きさで形成されている。そして、基板３１、３２の孔部３１１、３２１に垂直片７５を挿入し、孔部３１１、３２１の長手方向における一方の縁が溝部７５２に引っ掛かるように挿入し、基板３１、３２をスライドさせる。こ
れにより、孔部３１１、３２１と溝部７５２とを回動可能に係合することが可能となる。その結果、基板３１、３２が、孔部３１１、３２１と溝部７５２との係合部分を回動軸として回動することが可能となる。
【００３９】
また、底板７１の短手方向両端部には、側板７２が形成されている。側板７２の上端部には、外側に突出し、カバー部５の接合穴５５と接続するための爪部７３が片側に二つ、合計四つ設けられている。また、底板７１の長手方向両端部には、ファイル本体の表紙と固定するための貫通穴７４が二箇所設けられている。
【００４０】
カバー部５は、天板５１と、天板５１の短手方向両端部に設けられた側板５３と、を有する（図３Ａ参照）。天板５１は、底板部７と平面視においてほぼ同形状により形成され、基板部３（基板３１、３２）を覆う。側板５３には、底板部７の側板７２に設けられた爪部７３と接続するための接合穴５５が、爪部７３に対応する位置に合計四つ設けられている。
【００４１】
また、カバー部５には、リング部材２１、２２が貫通する切欠部５２が設けられている。この切欠部５２は、リング部２が閉リング姿勢と開リング姿勢のどちらの姿勢でもリング部材２１、２２が貫通するよう側板５３から天板５１が連続して切り欠かれている。更に、カバー部５の天板５１の長手方向両端部には、カバー部５を底板部７と共にファイル本体の表紙に固定するための貫通穴５４が設けられている。この貫通穴５４は、底板部７に設けられた貫通穴７４と対応する位置に二箇所設けられており、ビスなどの固定手段を用いることでカバー部５を底板部７と共にファイル本体に固定することが可能となる。なお、これにより、底板部７とカバー部５との間に配置される基板部３もファイル本体に固定されることになる。
【００４２】
＜組立て方法＞
次に、上述した第一の実施形態に係る綴具１ａの組立て方法について図面に基づいて説明する。
【００４３】
第一の実施形態に係る綴具１ａは、図３Ａから図３Ｃに示すように、上から順にカバー部５と、リング部２が接続された基板部３と、底板部７と、を組み合わせることで構成される。基板３１、３２に設けられた孔部３１１、３２１に底板７１に立ち上げられた垂直片７５１を挿入し、基板３１、３２を長手方向にスライド（本実施形態では、紙面左斜め下側）させる。これにより、孔部３１１、３２１の長手方向縁部が溝部７５２に侵入して孔部３１１、３２１と溝部７５２が係合し、基板３１、３２の短手方向における動き及び垂直方向における動きが規制される（図３Ｄ参照）。
【００４４】
更に、リング部材２１、２２の基端部がカバー部５の切欠部５２と一致するようにカバー部５を基板部３を覆うように配置する。そして、カバー部５の側板５３に設けられた接合穴５５に底板部７の爪部７３を挿入してカバー部５と底板部７とを接続する。これにより、底板部７に接続された基板部３は、長手方向における動きも規制され、孔部３１１、３２１と溝部７５２と接続部により形成される回動軸周りの動きのみが可能となる（図２Ａ、図２Ｂ参照）。これにより、第一の実施形態に係る綴具１ａの組立てが完了する。
【００４５】
なお、カバー部５と、リング部２が接続された基板部３と、底板部７の接続が完了した綴具１ａは、カバー部５の貫通穴５４、底板部７の貫通穴７４にリベット等の固定手段を用いてファイル本体の表紙の内側に固定する。これにより、綴具１ａのファイル本体への取り付けが完了する。
【００４６】
＜使用方法＞
次に、上述した第一の実施形態に係る綴具１ａの使用方法について、各構成の動作を交えて図面に基づいて説明する。
【００４７】
第一の実施形態に係る綴具１ａは、ファイル本体の表紙内側面に固定した状態で使用する。本実施形態に係る綴具１ａは、リング部材２１の先端とリング部材２２の先端同士が接触する閉リング姿勢（図２Ａ参照）とリング部材２１の先端とリング部材２２の先端同士が離間する開リング姿勢（図２Ｂ参照）とを有する。書類等を綴じ込んだ状態で棚等で保管する場合は、閉リング姿勢で使用し、書類等を綴じ込む際や綴じ込まれた書類等を抜き差しする際には、開リング姿勢で使用する。
【００４８】
本実施例に係る綴具１ａでは、この閉リング姿勢から開リング姿勢への動作、又は開リング姿勢から閉リング姿勢への動作をリング部２を把持して所定の方向に力を加えることで行う。すなわち、閉リング姿勢から開リング姿勢に変化させる場合は、リング部材２１とリング部材２２のそれぞれを手で把持し、リング部材２１の先端とリング部材２２の先端とが開く方向へ力を加える。一方、開リング姿勢から閉リング姿勢に変化させる場合は、逆向きの力を加えればよい。
【００４９】
以上説明した第一の実施形態に係る綴具１ａによれば、リング部２が開閉する際の回動軸部が基板３１、３２それぞれの短手方向のほぼ中心に設けられていることで、リング部材２１の先端とリング部材２２の先端同士の間に形成される空間を従来よりも大きくすることができる。その結果、より使い勝手のよい綴具１ａを提供することが可能となる。また、綴具自体は、コンパクト化が望まれており、従来の綴具もこれを実現すべく様々な工夫がなされている。そして、本実施形態に係る綴具１ａでは、綴具１ａの幅や高さを変えることなくリング部材２１の先端とリング部材２２の先端同士の間に形成される空間のみを大きくすることができる。
【００５０】
（第二実施形態）
＜構成＞
次に第二の実施形態に係る綴具１ｂについて図面に基づいて説明する。なお、第一の実施形態に係る綴具１ａと同様の構成についてはその説明を省略し、以下の説明においては第一の実施形態に係る綴具１ａと相違する点を主として説明するものとする。
【００５１】
図４は、第二の実施形態に係る綴具の斜視図である。図５Ａは、第二の実施形態に係る綴具の閉リング姿勢を示す断面図である。図５Ｂは、第二の実施形態に係る綴具の開リング姿勢を示す断面図である。
【００５２】
第二の実施形態に係る綴具１ｂは、リング部２とリング部２の基端が接続される基板部３ａと、基板部３を支持する支持部７５ａと、基板部３を覆うカバー部５ａと、を備える。
【００５３】
第二の実施形態に係る綴具１ｂは、支持部７５ａがカバー部５ａの裏面側に接続されており、第一の実施形態に係る底板部７に相当する部品を省略することが可能な構成となっている。なお、第一の実施形態に係る綴具１ａと同じく基板３１ａ、３２ａが回動する際の回動軸は、基板３１ａ、３２ａの短手方向ほぼ中心に設けられており、リング部材２１の先端とリング部材２２の先端の間に形成される空間を従来よりも大きくすることが可能な構成となっている。すなわち、第一の実施形態に係る綴具１ａの効果に加えて、第一の実施形態に係る綴具１ａよりも部品点数を減らすことが可能であり、より簡易な構成とすることが可能となっている。
【００５４】
以下、各構成について説明する。なお、図４、図５Ａ、図５Ｂに加えて、図６Ａ、図６
Ｂも用いて説明することとする。図６Ａ、図６Ｂは、綴具の各構成部品を示す斜視図である。
【００５５】
リング部２は、第一の実施形態に係る綴具１ａと同じく、ほぼ半円状の第一のリング部材２１と第二のリング部材２２とにより形成され、リング部材２１の基端は、基板３１ａに接続され、リング部材２２の基端は、基板３２ａに接続されている。
【００５６】
基板部３ａは、基板３１ａと、基板３２ａとにより形成され、共に帯板状であり、帯板状の基板３１ａの長手方向両端部寄りにリング部材２１の基端が接続され、帯板状の基板３２ａの長手方向両端部寄りにリング部材２２の基端が接続されている（図６Ｂ参照）。また、基板３１ａには、回動する際の回動軸部の一部を構成する孔部３１１が長手方向に沿って二箇所設けられ、基板３２ａにも孔部３１１に相当する孔部３２１が二箇所設けられている。この孔部３１１、３２１は、後述する支持部７５ａが挿入可能な細長の矩形状により形成されている。
【００５７】
また、基板３１ａには、短手方向内側端部に第一の実施形態に係る綴具１ａと同じく突出片３１２が二箇所設けられ、基板３２ａにも、短手方向内側端部に第一の実施形態に係る綴具１ａと同じく突出片３２２が突出片３１２と隣接するように設けられている。
【００５８】
更に、第二の実施形態に係る綴具１ｂには、第一の実施形態に係る綴具１ａと異なり、基板３１ａ、３２ａをカバー部５ａに固定するための固定孔３１５、３２５が合計四箇所設けられている。より詳細には、基板３１ａの孔部３１１の長手方向近傍に固定孔３１５が設けられ、基板３２ａの孔部３２１の長手方向近傍に固定孔３２５が設けられている。そして、この固定孔３１５、３２５に後述するカバー部５ａに設けられた固定用凸部７５３を進入させることで、基板３１ａ、３２ａがカバー部５ａに固定されることになる。
【００５９】
第二の実施形態に係る綴具１ｂのカバー部５ａは、第一の実施形態に係る綴具１ａにおいて底板部７に設けられていた支持部７５に相当する支持部７５ａが設けられている点で、第一の実施形態に係るカバー５とその構成が異なる（図６Ａ参照）。また、後述する組立て工程上の理由で、切欠部５２ａの形状が第一の実施形態に係る切欠部５２と異なる。なお、その他の構成については、第一の実施形態に係るカバー部５とほぼ同様の構成であり、カバー部５ａは、天板５１と、天板５１の短手方向両端部に設けられた側板５３と、ファイル本体の表紙に固定するための貫通穴５４と、を有している。
【００６０】
支持部７５ａは、回動軸部を支持するものであり、上述した孔部３１１、３２１に対応する位置に四つ設けられている。支持部７５ａは、天板５１からほぼ垂直であって側板５３とほぼ平行に垂れ下げられた垂直片７５１と、垂直片７５１に形成された溝部７５２と、を有している。また、溝部７５２は、垂直片７５１が側面視においてコ字状になるように形成されている。更に、本実施形態に係る支持部７５ａは、溝部７５２の下側に位置する片の先端に、溝部７５２側に突出した凸部７５３が形成されている。ここで、図７は、支持部７５ａと孔部３１１の接続状態を示す断面図である。同図に示すように、凸部７５３がスライドして上述した固定孔３１５に侵入することで、基板３１ａ、３２ａがカバー部５ａに固定されることになる。
【００６１】
切欠部５２ａは、第一の実施形態に係る切欠部５２と同じくリング部材２１、２２が貫通するものである。但し、その形状は、若干異なるものである。具体的には、切欠部５２ａの長手方向における長さは、リングの直径二つ分よりも大きく形成されている。これは、本実施形態に係る綴具１ｂでは、支持部７５ａがカバー部５ａに設けられており、基板３１ａ、３２ａをカバー部５ａに固定するにあたってはリング部材２１、２２が設けられた基板３１ａ、３２ａをスライドさせて固定する必要があるからである（図８参照）。ま
た、切欠部５２ａの短手方向における長さは、固定位置と固定前位置で異なっている。具体的には、固定前位置のほうが固定位置よりも浅い切り欠きとなっている。これは、固定前位置は、カバー部５ａと基板３１ａ、３２ａとを固定する際に用いる切欠部５２ａの一部であって、リング部２を開リング姿勢で固定前位置に進入させるのに用いるものであり、固定位置前では閉リング姿勢になることがない。これに対し、固定位置では、リング部２が閉リング姿勢と開リング姿勢とに変化する為、閉リング姿勢においてより内側に位置することになるリング部材２１、２２に対応させる必要があるからである。
【００６２】
＜組立て方法＞
次に、上述した第二の実施形態に係る綴具１ｂの組立て方法について図面に基づいて説明する。
【００６３】
第二の実施形態に係る綴具１ｂは、図６Ａ、図６Ｂに示すように、上から順にカバー部５ａと、リング部２が接続された基板部３ａと、を組み合わせることで構成される。基板３１ａ、３２ａに設けられた孔部３１１、３２１にカバー部５ａに設けられた垂直片７５１を挿入し、基板３１ａ、３２ａを長手方向にスライド（本実施形態では、紙面左斜め下側）させ、各凸部７５３を各固定孔３１５、３２５に侵入させる。
【００６４】
また、上記動作を平面視すると以下のようになる。図８は、カバー部５ａと基板３１ａ，３２ａとを固定する際の状態を示す平面図である。基板３１ａ、３２ａをカバー部５ａに固定する際には、まず、リング部２を開リング姿勢で切欠部５２ａの固定前位置（切欠部５２ａの紙面上寄り）に配置する。その後、リング部２が閉リング姿勢となるようにリング部材２１の先端とリング部材２２の先端との間に形成される空間を徐々に狭めながら基板３１ａ、３２ａを長手方向（紙面下方向）にスライドさせる。そして、リング部２を最終的に閉リング姿勢で固定位置（切欠部５２ａの紙面下寄り）に配置する。なお、本実施形態に係る綴具１ｂでは、固定前位置から固定位置までの切欠部５２ａの縁部を斜めに形成されている。したがって、上記動作をスムーズに行うことができる。以上の動作を行うことで、基板３１ａ、３２ａの短手方向、長手方向、及び垂直方向における動きが規制される。
【００６５】
そして、基板３１ａ、３２ａが固定されたカバー部５ａの貫通穴５４にリベット等の固定手段を用いてファイル本体の表紙の内側に固定する。これにより、第二の実施形態に係る綴具１ｂの組立てが完了する。
【００６６】
＜使用方法＞
次に、上述した第二の実施形態に係る綴具１ｂの使用方法について、各構成の動作を交えて図面に基づいて説明する。
【００６７】
第二の実施形態に係る綴具１ｂの使用方法は、基本的には上述した第一の実施形態に係る綴具１ａの使用方法と同じである。すなわち、第二の実施形態に係る綴具１ｂは、ファイル本体の表紙内側面に固定した状態で使用し、書類等を綴じ込んだ状態で棚等で保管する場合は、閉リング姿勢で使用し、書類等を綴じ込む際や綴じ込まれた書類等を抜き差しする際には、開リング姿勢で使用する。そして、閉リング姿勢から開リング姿勢への動作やこの逆の動作は、第一の実施形態に係る綴具１ａと同じく、リング部２を手で直接把持し、所定の方向へ力を加えることで行うことができる。
【００６８】
以上説明した第二の実施形態に係る綴具１ｂによれば、リング部２が開閉する際の回動軸部が基板３１ａ、３２ａそれぞれの短手方向のほぼ中心に設けられていることで、綴具１の幅や高さを変えることなくリング部材２１の先端とリング部材２２の先端同士の間に形成される空間のみを大きくすることができる。その結果、より使い勝手のよい綴具１ｂ
を提供することが可能となる。また、このような第一の実施形態に係る綴具１ａと同様の効果に加えて、第二の実施形態に係る綴具１ｂは、第一の実施形態に係る綴具１ａに用いられている底板部７に相当する部品を用いない構成となっている。すなわち、第二の実施形態に係る綴具１ｂは、第一の実施形態に係る綴具１ａよりも少ない部品点数で構成されており、より簡易な構成となっている。
【００６９】
（第三実施形態）
次にその他の実施形態として第三の実施形態に係る綴具１ｃについて図面に基づいて説明する。なお、第一の実施形態に係る綴具１と同様の構成についてはその説明を省略し、以下の説明においては第一の実施形態に係る綴具１と相違する点を主として説明するものとする。
【００７０】
図９は、第三の実施形態に係る綴具の斜視図である。図１０Ａは、第三の実施形態に係る綴具の閉リング姿勢を示す断面図である。図１０Ｂは、第三の実施形態に係る綴具の開リング姿勢を示す断面図である。
【００７１】
第三の実施形態に係る綴具１ｃは、リング部２ｃとリング部２ｃの基端が接続される基板部３ｃと、基板部３ｃを支持する支持部７５ｃと、基板部３ｃを覆うカバー部５ｃと、切替レバー８２と、を備える。第三の実施形態に係る綴具１ｃは、切替レバー８２を備える点で、第一の実施形態に係る綴具１と相違する。すなわち、第一の実施形態に係る綴具１では、閉リング姿勢から開リング姿勢への動作をリング部材２１、２２を手で把持して、所定の方向に力を加えることで行った。しかし、第三の実施形態に係る綴具１ｃは、切替レバー８２を操作することで、リング部２ｃを閉リング姿勢から開リング姿勢へと変化させることができる。
【００７２】
切替レバー８２は、基端部が底板部７ｃの長手方向のほぼ中心かつ短手方向のほぼ中心に位置するカム部８１にヒンジ結合され、先端部が操作部として開放されている。そして、カム部８１の下部には、閉リング姿勢において基板３１ｃ、３２ｃを垂下方向に押圧する押圧部８３が設けられている。押圧部８３は、閉リング姿勢において、基板３１ｃ、３２ｃの内側端部を押圧する（図１０Ａ参照）。そして、押圧部８３による押圧は、切替レバー８２を底板部７ｃと直交するように持ち上げることで解除される。
【００７３】
リング部２ｃは、第一の実施形態に係るリング部２と異なり、底板部７ｃと直交する直線部を有している。より具体的には、底板部７ｃに接続され底板部７ｃの外側に張り出すように形成される傾斜部と、底板部７ｃとほぼ直交し直線状に形成される直線部と、底板部７ｃとほぼ平行するように形成される先端部と、を備え、傾斜部と直線部、直線部と先端部とは、湾曲部を介して接続されている。直線部を備えることで、書類等をスムーズに綴じ込むことができる。また、傾斜部の角度は、リング部材２１ｃとリング部材２２ｃとの空間の大きさ、すなわちリング部２ｃの開閉度合いに基づいて設定することが好ましい。これは、本実施形態に係る綴具１ｃは、同じタイプの従来の綴具と比較してリング部２ｃの開閉度合いを大きくすることができるが、開閉度合いが大きくなることで基板３１ｃ、３２ｃの傾斜角度も急となり、その結果、リング部材２１ｃ、２２ｃの根元付近で書類等を綴じ込む際に引っ掛かりが生じる恐れがあるからである。このような状態を解消するため、リング部２ｃの開閉度合いに基づいてリング部２ｃの根元付近に傾斜部を形成することが好ましい。なお、傾斜部と直線部とを接続する湾曲部も傾斜部の角度に合わせて湾曲程度を調整することが好ましい。
【００７４】
図１２は、第三の実施形態に係る綴具１ｃと同タイプの従来の綴具１ｄを示す断面図である。同図に示すように、従来の綴具１ｄは、支持部７５ｄが基板３１ｃ、３２ｃの外側に設けられ、接続されている。これに対し、第三の実施形態に係る綴具１ｃは、第一の実
施形態に係る綴具１ａと同じく支持部７５ｃが基板３１ｃ、３２ｃの短手方向略中心位置で接続されている。その結果、第三の実施形態に係る綴具１ｃは、従来の綴具１ｄよりもリング２１ｃの先端とリング２２ｃの先端の間に形成される空間が大きくなっており、より使い勝手のよい綴具となっている。
【００７５】
以上、本発明の好適な実施形態について説明したが、本発明はこれに限定されることなく、本発明の技術的思想を逸脱することなく種々の設計変更をなしえることは勿論である。
【図面の簡単な説明】
【００７６】
【図１】第一の実施形態に係る綴具の斜視図である。
【図２Ａ】第一の実施形態に係る綴具の閉リング姿勢を示す断面図である。
【図２Ｂ】第一の実施形態に係る綴具の開リング姿勢を示す断面図である。
【図３Ａ】第一の実施形態に係る綴具のカバー部を示す斜視図である。
【図３Ｂ】第一の実施形態に係る綴具の基板部を示す斜視図である。
【図３Ｃ】第一の実施形態に係る綴具の底板部を示す斜視図である。
【図３Ｄ】第一の実施形態に係る綴具の基板部と底板部の接続状態を示す拡大斜視図である。
【図４】第二の実施形態に係る綴具の斜視図である。
【図５Ａ】第二の実施形態に係る綴具の閉リング姿勢を示す断面図である。
【図５Ｂ】第二の実施形態に係る綴具の開リング姿勢を示す断面図である。
【図６Ａ】第二の実施形態に係る綴具のカバー部を示す斜視図である。
【図６Ｂ】第二の実施形態に係る綴具の基板部を示す斜視図である。
【図７】第二の実施形態に係る綴具の支持部と孔部の接続状態を示す断面図である。
【図８】第二の実施形態に係る綴具のカバー部と基板とを固定する際の状態を示す平面図である。
【図９】第三の実施形態に係る綴具の斜視図である。
【図１０Ａ】第三の実施形態に係る綴具の閉リング姿勢を示す断面図である。
【図１０Ｂ】第三の実施形態に係る綴具の開リング姿勢を示す断面図である。
【図１１Ａ】従来のリング式綴具のリングを閉じた状態（閉リング姿勢）を示す断面図である。
【図１１Ｂ】従来のリング式綴具のリングを開いた状態（開リング姿勢）を示す断面図である。
【図１２Ａ】従来のリング式綴具のリングを閉じた状態（閉リング姿勢）を示す断面図である。
【図１２Ｂ】従来のリング式綴具のリングを開いた状態（開リング姿勢）を示す断面図である。
【符号の説明】
【００７７】
１・・・綴具
２・・・リング部
３・・・基板部
５・・・カバー部
７・・・底板部
２１、２２・・・リング
３１、３２・・・基板
【図１】
2008119961.tif 000003
【図２Ａ】
2008119961.tif 000004
【図２Ｂ】
2008119961.tif 000005
【図３Ａ】
2008119961.tif 000006
【図３Ｂ】
2008119961.tif 000007
【図３Ｃ】
2008119961.tif 000008
【図３Ｄ】
2008119961.tif 000009
【図４】
2008119961.tif 000010
【図５Ａ】
2008119961.tif 000011
【図５Ｂ】
2008119961.tif 000012
【図６Ａ】
2008119961.tif 000013
【図６Ｂ】
2008119961.tif 000014
【図７】
2008119961.tif 000015
【図８】
2008119961.tif 000016
【図９】
2008119961.tif 000017
【図１０Ａ】
2008119961.tif 000018
【図１０Ｂ】
2008119961.tif 000019
【図１１Ａ】
2008119961.tif 000020
【図１１Ｂ】
2008119961.tif 000021
【図１２Ａ】
2008119961.tif 000022
【図１２Ｂ】
2008119961.tif 000023